(57)【要約】【課題】プリペイドカードを購入しなくても遊技媒体の貸し出しを受けて直ぐに遊技を開始できるようにし、サービス向上、並びに稼動率向上を図る。【解決手段】玉貸しに際しては、台間カード処理機１２のプリペイドカード挿入口１２９にプリペイドカード８５を挿入し（Ｓ７１）、かつ電子マネーカード挿入口１２８に電子マネーカード８０を挿入し（Ｓ７２）、電子マネー玉貸ボタン１２３を押下する（Ｓ７３）。これにより、台間カード処理機１２は、電子マネーカード８０の残高から玉貸分の金額を減算し（Ｓ７４）、プリペイドカード８５の残高へ追加入金（Ｓ７５）する処理（電子マネー価値をプリペイド価値に変換する処理）を行なう。以後、プリペイドカード８５の残高から玉貸分の金額を再度減算し、遊技台１１から上記玉貸金額分の玉を払出すように制御する（Ｓ７６）。【選択図】  図７
2004243011.tif 000002
【特許請求の範囲】
【請求項１】
電子マネー価値を特定可能な情報が記憶される電子マネー価値情報記憶手段と、
遊技媒体の貸し出しに利用されるプリペイド価値を特定可能な情報が記憶されるプリペイド価値情報記憶手段と、
前記電子マネー価値情報記憶手段に記憶される情報によって特定される電子マネー価値の少なくとも一部を、前記プリペイド価値情報記憶手段に記憶される情報によって特定されるプリペイド価値に変換する第１の価値変換手段と、
前記プリペイド価値情報記憶手段に記憶される情報によって特定されるプリペイド価値の少なくとも一部を、遊技媒体の価値に変換する第２の価値変換手段と、
前記プリペイド価値情報記憶手段に記憶される情報によって特定されるプリペイド価値の少なくとも一部を、前記電子マネー価値情報記憶手段に記憶される情報によって特定される電子マネー価値に変換する第３の価値変換手段と
を具備し、前記電子マネー価値から変換された前記プリペイド価値を利用して遊技媒体の貸し出しを行なう
ことを特徴とする遊技媒体貸出システム。
【請求項２】
前記プリペイド価値に変換する電子マネー価値に相当する金額を指定する指定手段と、
前記指定手段により指定された金額分の価値を前記電子マネー価値から引き出して前記プリペイド価値に加算する加算手段と
を具備することを特徴とする請求項１記載の遊技媒体貸出システム。
【請求項３】
貨幣を受け入れて該貨幣の価値を認識する貨幣価値認識手段と、
前記貨幣価値認識手段により認識された価値を前記電子マネー価値に加算する加算手段と
を具備することを特徴とする請求項１または２記載の遊技媒体貸出システム。
【請求項４】
貨幣を受け入れて該貨幣の価値を認識する貨幣価値認識手段と、
前記貨幣価値認識手段により認識された価値を、前記電子マネー価値に加算するか前記プリペイド価値に加算するかを選択する選択手段と、
前記選択手段により選択された前記電子マネー価値または前記プリペイド価値のいずれかに対し、前記貨幣価値認識手段により認識された価値を加算する加算手段と
を具備することを特徴とする請求項１または２記載の遊技媒体貸出システム。
【請求項５】
前記プリペイドカードの精算を指示する精算指示手段と、
前記精算指示手段からの精算指示に基づき前記プリペイド価値の全額を減算し、前記電子マネー価値に加算する加算手段と
を具備することを特徴とする請求項１または２記載の遊技媒体貸出システム。
【請求項６】
前記電子マネー価値情報記憶手段と、前記プリペイド価値情報記憶手段とが単一の記憶媒体上に形成される
ことを特徴とする請求項１記載の遊技媒体貸出システム。
【請求項７】
前記電子マネー価値情報記憶手段は、第１の記憶媒体上に形成され、
前記プリペイド価値情報記憶手段は、前記第１の記憶媒体とは別体の第２の記憶媒体上に形成される
ことを特徴とする請求項１記載の遊技媒体貸出システム。
【請求項８】
前記第２の記憶媒体は、システム側に予め保持されている記憶媒体である
ことを特徴とする請求項７記載の遊技媒体貸出システム。
【請求項９】
前記プリペイド価値、前記電子マネー価値及び現金に関する処理結果を通信手段を介して通知する通知手段と、
前記通知手段から通知される前記プリペイド価値に関する処理結果に基づき、プリペイド価値に関する発行金額、利用金額及び玉貸しの管理を行なうプリペイド管理手段と、
前記通知手段から通知される前記電子マネー価値に関する処理結果に基づき、電子マネー価値に関する利用額、利用回数及び入金額の管理を行なう電子マネー管理手段と、
前記通知手段から通知される前記電子マネー価値に関する処理結果に基づき、電子マネーの利用額、入金額、カード識別番号を電子マネーセンタへ通知する電子マネー処理結果通知手段と、
前記通知手段から通知される前記プリペイド価値、前記電子マネー価値及び現金に関する処理結果に基づく売上管理を行なう売上管理手段と
を具備することを特徴とする請求項１記載の遊技媒体貸出システム。
【請求項１０】
前記プリペイド管理手段は、
前記プリペイド価値に関する発行金額、利用金額及び玉貸しの管理を、現金による発行と電子マネーによる発行とに分けて管理する
ことを特徴とする請求項９記載の遊技媒体貸出システム。
【請求項１１】
前記売上管理手段は、
前記売上管理を、電子マネー売上及び現金売上に分けて集計・出力可能に管理する
ことを特徴とする請求項９記載の遊技媒体貸出システム。
【請求項１２】
隣接配置される遊技台に対して遊技媒体を貸し出す処理を行なう台間処理装置において、
電子マネー価値を特定可能な情報が記憶される電子マネー価値情報記憶手段を受け入れ、前記情報から前記電子マネー価値を特定する電子マネー価値特定手段と、
遊技媒体の貸し出しに利用されるプリペイド価値を特定可能な情報が記憶されるプリペイド価値情報記憶手段から前記情報に基づき前記プリペイド価値を特定するプリペイド価値特定手段と、
前記電子マネー価値特定手段により特定される電子マネー価値の少なくとも一部を、前記プリペイド価値特定手段により特定されるプリペイド価値に変換する第１の価値変換手段と、
前記プリペイド価値特定手段により特定されるプリペイド価値の少なくとも一部を、遊技媒体の価値に変換する第２の価値変換手段と、
前記プリペイド価値特定手段により特定されるプリペイド価値の少なくとも一部を、前記電子マネー価値特定手段により特定される電子マネー価値に変換する第３の価値変換手段と
を具備することを特徴とする台間処理装置。
【請求項１３】
前記プリペイド価値に変換する電子マネー価値に相当する金額を指定する指定手段と、
前記指定手段により指定された金額分の価値を前記電子マネー価値から引き出して前記プリペイド価値に加算する加算手段と
を具備することを特徴とする請求項１２記載の台間処理装置。
【請求項１４】
貨幣を受け入れて該貨幣の価値を認識する貨幣価値認識手段と、
前記貨幣価値認識手段により認識された価値を前記電子マネー価値に加算する加算手段と
を具備することを特徴とする請求項１２または１３記載の台間処理装置。
【請求項１５】
貨幣を受け入れて該貨幣の価値を認識する貨幣価値認識手段と、
前記貨幣価値認識手段により認識された価値を、前記電子マネー価値に加算するか前記プリペイド価値に加算するかを選択する選択手段と、
前記選択手段により選択された前記電子マネー価値または前記プリペイド価値のいずれかに対し、前記貨幣価値認識手段により認識された価値を加算する加算手段と
を具備することを特徴とする請求項１２または１３記載の台間処理装置。
【請求項１６】
前記プリペイドカードの精算を指示する精算指示手段と、
前記精算指示手段からの精算指示に基づき前記プリペイド価値の全額を減算し、前記電子マネー価値に加算する加算手段と
を具備することを特徴とする請求項１２または１３記載の台間処理装置。
【請求項１７】
記憶媒体を挿入／排出する記憶媒体挿入／排出手段
を具備し、
前記電子マネー価値情報記憶手段と、前記プリペイド価値情報記憶手段とが前記記憶媒体挿入／排出手段に対して挿入／排出可能な単一の記憶媒体上に形成される
ことを特徴とする請求項１２記載の台間処理装置。
【請求項１８】
記憶媒体を挿入／排出する記憶媒体挿入／排出手段
を具備し、
前記電子マネー価値情報記憶手段は、前記記憶媒体挿入／排出手段に対して挿入／排出可能な単一の記憶媒体上に形成され、
前記プリペイド価値情報記憶手段は、当該台間処理装置に予め保持される記憶媒体上に形成される
ことを特徴とする請求項１２記載の台間処理装置。
【請求項１９】
第１の記憶媒体挿入／排出手段と、
第２の記憶媒体挿入／排出手段と
を具備し、
前記電子マネー価値情報記憶手段は、前記第１の記憶媒体挿入／排出手段に対して挿入／排出可能な第１の記憶媒体上に形成され、
前記プリペイド価値情報記憶手段は、前記第２の記憶媒体挿入／排出手段に対して挿入／排出可能な第２の記憶媒体上に形成される
ことを特徴とする請求項１２記載の台間処理装置。
【請求項２０】
前記プリペイド価値、前記電子マネー価値及び現金に関する処理結果を通信手段を介して管理装置に通知する通知手段
を具備する
ことを特徴とする請求項１２記載の台間処理装置。
【発明の詳細な説明】
【０００１】
【発明の属する技術分野】
本発明は、遊技媒体の貸し出しを行なう遊技媒体貸出システム及びこれに用いる台間処理装置に関し、詳しくは、電子マネーを用いて遊技媒体の貸し出しを行なう遊技媒体貸出システム及び台間処理装置に関する。
【０００２】
【従来の技術】
パチンコ店等の遊技場では、遊技用記憶媒体を受け入れて、該記憶媒体に付与された有価価値または有価価値を特定する情報に基づいて遊技媒体を貸し出し可能とするカードシステムを備えており、中でも、遊技用記憶媒体としてプリペイドカードを用いたシステムを配備した遊技場（ホール）が多い。
【０００３】
この種のシステムでは、遊技客は、ホール内のカード発行機にて予めプリペイドカードを購入し、遊技台（例えば、パチンコ台）の横に設置されたカード処理ユニットにそのカードを挿入した状態で指定した金額に応じた遊技媒体（例えば、パチンコ玉）の貸し出しを受けて該遊技台での遊技を行なうようになっている。
【０００４】
遊技中、プリペイドカードの残額がなくなった場合は、カード処理ユニットから現金を追加入金することにより、プリペイドカードの残高を増やすことができる。
【０００５】
また、遊技終了後、プリペイドカードに残高がある場合には、ホール内に設置されたプリペイドカード専用の精算機に当該プリペイドカードを挿入し、余った度数（残度数）を精算可能となっている。この場合、当日に精算しないと余ったプリペイド価値を遊技用にしか使用できない等の制約があるのが一般的である。
【０００６】
プリペイドカードを利用して遊技媒体の貸し出しを行なう従来の遊技媒体貸出システムの一例として、下記特許文献１には、プリペイドカードに残余値があった状態で追加入金があり、残余値と追加入金の合計がプリペイドカードの上限値を超えた場合に釣銭を返却する必要が出てくる状況を回避するために、予め設定した価値情報の上限値と、記憶媒体に関連して記憶された価値情報の残余値とを比較し、この比較結果に基づいて追加入金の受け入れ可能金種を変更する機能を備えた遊技媒体貸出システムが開示されている。
【０００７】
しかしながら、この特許文献１に記載のシステムにおいても、遊技媒体の貸し出しを受けるにはプリペイドカードを必ず入手する必要があり、プリペイド残高を増やすべく追加入金を行なう場合、その都度財布から現金を取り出す必要があり、遊技終了後、プリペイド残高が余った場合、プリペイドカード専用の精算機でしか精算することができないという点に関しては、この種の従来一般的なシステムと変わるところはなかった。
【０００８】
【特許文献１】
特開２００２−３０６８２４号公報
【発明が解決しようとする課題】
このように、従来の遊技媒体貸出システムは、プリペイドカードを利用して遊技媒体の貸し出しを行なっていたため、
（ａ）プリペイドカードを必ず入手する必要があり、そのための手間と時間がかかり、遊技客に対するサービスの低下、ホール側での遊技台の稼動率低下を招来する。
【０００９】
（ｂ）プリペイド残高を増やすべく追加入金を行なう場合、その都度財布から現金を取り出す必要がある。また、１回の追加入金額が限られているため、当該金額を超える入金に際しては最低でも１回の追加入金操作を行なう必要があり、追加入金操作が面倒である。
【００１０】
（ｃ）遊技終了後、プリペイド残高が余った場合、ホール内に設置されたプリペイドカード専用の精算機でしか精算することができず、しかも、当日に精算しないと遊技用にしか使用できない等の制約があり、精算操作も面倒である。
【００１１】
（ｄ）ホール内にプリペイドカード専用の精算機を設置する必要があり、システムのコスト増を招来する。
【００１２】
等の問題点があった。
【００１３】
本発明は上記問題点を除去し、プリペイドカードを購入しなくても遊技媒体の貸し出しを受けて直ぐに遊技を開始でき、遊技客に対するサービスの向上、並びにホール側における遊技台の稼動率向上を図ることのできる遊技媒体貸出システム及び台間処理装置を提供することを目的とする。
【００１４】
また、本発明は、遊技媒体の貸し出しに利用するプリペイド残高への追加入金や精算を簡単な操作で行なえると共に、プリペイドカード専用の精算機を不要にしてシステムコストを低減できる遊技媒体貸出システム及び台間処理装置を提供することを目的とする。
【００１５】
【課題を解決するための手段】
上記目的を達成するために、請求項１記載の発明は、電子マネー価値を特定可能な情報が記憶される電子マネー価値情報記憶手段と、遊技媒体の貸し出しに利用されるプリペイド価値を特定可能な情報が記憶されるプリペイド価値情報記憶手段と、前記電子マネー価値情報記憶手段に記憶される情報によって特定される電子マネー価値の少なくとも一部を、前記プリペイド価値情報記憶手段に記憶される情報によって特定されるプリペイド価値に変換する第１の価値変換手段と、前記プリペイド価値情報記憶手段に記憶される情報によって特定されるプリペイド価値の少なくとも一部を、遊技媒体の価値に変換する第２の価値変換手段と、前記プリペイド価値情報記憶手段に記憶される情報によって特定されるプリペイド価値の少なくとも一部を、前記電子マネー価値情報記憶手段に記憶される情報によって特定される電子マネー価値に変換する第３の価値変換手段とを具備し、前記電子マネー価値から変換された前記プリペイド価値を利用して遊技媒体の貸し出しを行なうことを特徴とする。
【００１６】
請求項２記載の発明は、上記請求項１記載の発明において、前記プリペイド価値に変換する電子マネー価値に相当する金額を指定する指定手段と、前記指定手段により指定された金額分の価値を前記電子マネー価値から引き出して前記プリペイド価値に加算する加算手段とを具備することを特徴とする。
【００１７】
請求項３記載の発明は、上記請求項１または２記載の発明において、貨幣を受け入れて該貨幣の価値を認識する貨幣価値認識手段と、前記貨幣価値認識手段により認識された価値を前記電子マネー価値に加算する加算手段とを具備することを特徴とする。
【００１８】
請求項４記載の発明は、上記請求項１または２記載の発明において、貨幣を受け入れて該貨幣の価値を認識する貨幣価値認識手段と、前記貨幣価値認識手段により認識された価値を、前記電子マネー価値に加算するか前記プリペイド価値に加算するかを選択する選択手段と、前記選択手段により選択された前記電子マネー価値または前記プリペイド価値のいずれかに対し、前記貨幣価値認識手段により認識された価値を加算する加算手段とを具備することを特徴とする。
【００１９】
請求項５記載の発明は、上記請求項１または２記載の発明において、前記プリペイドカードの精算を指示する精算指示手段と、前記精算指示手段からの精算指示に基づき前記プリペイド価値の全額を減算し、前記電子マネー価値に加算する加算手段とを具備することを特徴とする。
【００２０】
請求項６記載の発明は、上記請求項１記載の発明において、前記電子マネー価値情報記憶手段と、前記プリペイド価値情報記憶手段とが単一の記憶媒体上に形成されることを特徴とする。
【００２１】
請求項７記載の発明は、上記請求項１記載の発明において、前記電子マネー価値情報記憶手段は、第１の記憶媒体上に形成され、前記プリペイド価値情報記憶手段は、前記第１の記憶媒体とは別体の第２の記憶媒体上に形成されることを特徴とする。
【００２２】
請求項８記載の発明は、上記請求項７記載の発明において、前記第２の記憶媒体は、システム側に予め保持されている記憶媒体であることを特徴とする。
【００２３】
請求項９記載の発明は、上記請求項１記載の発明において、前記プリペイド価値、前記電子マネー価値及び現金に関する処理結果を通信手段を介して通知する通知手段と、前記通知手段から通知される前記プリペイド価値に関する処理結果に基づき、プリペイド価値に関する発行金額、利用金額及び玉貸しの管理を行なうプリペイド管理手段と、前記通知手段から通知される前記電子マネー価値に関する処理結果に基づき、電子マネー価値に関する利用額、利用回数及び入金額の管理を行なう電子マネー管理手段と、前記通知手段から通知される前記電子マネー価値に関する処理結果に基づき、電子マネーの利用額、入金額、カード識別番号を電子マネーセンタへ通知する電子マネー処理結果通知手段と、前記通知手段から通知される前記プリペイド価値、前記電子マネー価値及び現金に関する処理結果に基づく売上管理を行なう売上管理手段とを具備することを特徴とする。
【００２４】
請求項１０記載の発明は、上記請求項９記載の発明において、前記プリペイド管理手段は、前記プリペイド価値に関する発行金額、利用金額及び玉貸しの管理を、現金による発行と電子マネーによる発行とに分けて管理することを特徴とする。
【００２５】
請求項１１記載の発明は、上記請求項９記載の発明において、前記売上管理手段は、前記売上管理を、電子マネー売上及び現金売上に分けて集計・出力可能に管理することを特徴とする。
【００２６】
請求項１２記載の発明は、隣接配置される遊技台に対して遊技媒体を貸し出す処理を行なう台間処理装置において、電子マネー価値を特定可能な情報が記憶される電子マネー価値情報記憶手段を受け入れ、前記情報から前記電子マネー価値を特定する電子マネー価値特定手段と、遊技媒体の貸し出しに利用されるプリペイド価値を特定可能な情報が記憶されるプリペイド価値情報記憶手段から前記情報に基づき前記プリペイド価値を特定するプリペイド価値特定手段と、前記電子マネー価値特定手段により特定される電子マネー価値の少なくとも一部を、前記プリペイド価値特定手段により特定されるプリペイド価値に変換する第１の価値変換手段と、前記プリペイド価値特定手段により特定されるプリペイド価値の少なくとも一部を、遊技媒体の価値に変換する第２の価値変換手段と、前記プリペイド価値特定手段により特定されるプリペイド価値の少なくとも一部を、前記電子マネー価値特定手段により特定される電子マネー価値に変換する第３の価値変換手段とを具備することを特徴とする。
【００２７】
請求項１３記載の発明は、上記請求項１２記載の発明において、前記プリペイド価値に変換する電子マネー価値に相当する金額を指定する指定手段と、前記指定手段により指定された金額分の価値を前記電子マネー価値から引き出して前記プリペイド価値に加算する加算手段とを具備することを特徴とする。
【００２８】
請求項１４記載の発明は、上記請求項１２または１３記載の発明において、貨幣を受け入れて該貨幣の価値を認識する貨幣価値認識手段と、前記貨幣価値認識手段により認識された価値を前記電子マネー価値に加算する加算手段とを具備することを特徴とする。
【００２９】
請求項１５記載の発明は、上記請求項１２または１３記載の発明において、貨幣を受け入れて該貨幣の価値を認識する貨幣価値認識手段と、前記貨幣価値認識手段により認識された価値を、前記電子マネー価値に加算するか前記プリペイド価値に加算するかを選択する選択手段と、前記選択手段により選択された前記電子マネー価値または前記プリペイド価値のいずれかに対し、前記貨幣価値認識手段により認識された価値を加算する加算手段とを具備することを特徴とする。
【００３０】
請求項１６記載の発明は、上記請求項１２または１３記載の発明において、前記プリペイドカードの精算を指示する精算指示手段と、前記精算指示手段からの精算指示に基づき前記プリペイド価値の全額を減算し、前記電子マネー価値に加算する加算手段とを具備することを特徴とする。
【００３１】
請求項１７記載の発明は、上記請求項１２記載の発明において、記憶媒体を挿入／排出する記憶媒体挿入／排出手段を具備し、前記電子マネー価値情報記憶手段と、前記プリペイド価値情報記憶手段とが前記記憶媒体挿入／排出手段に対して挿入／排出可能な単一の記憶媒体上に形成されることを特徴とする。
【００３２】
請求項１８記載の発明は、上記請求項１２記載の発明において、記憶媒体を挿入／排出する記憶媒体挿入／排出手段を具備し、前記電子マネー価値情報記憶手段は、前記記憶媒体挿入／排出手段に対して挿入／排出可能な単一の記憶媒体上に形成され、前記プリペイド価値情報記憶手段は、当該台間処理装置に予め保持される記憶媒体上に形成されることを特徴とする。
【００３３】
請求項１９記載の発明は、上記請求項１２記載の発明において、第１の記憶媒体挿入／排出手段と、第２の記憶媒体挿入／排出手段とを具備し、前記電子マネー価値情報記憶手段は、前記第１の記憶媒体挿入／排出手段に対して挿入／排出可能な第１の記憶媒体上に形成され、前記プリペイド価値情報記憶手段は、前記第２の記憶媒体挿入／排出手段に対して挿入／排出可能な第２の記憶媒体上に形成されることを特徴とする。
【００３４】
請求項２０記載の発明は、上記請求項１２記載の発明において、前記プリペイド価値、前記電子マネー価値及び現金に関する処理結果を通信手段を介して管理装置に通知する通知手段を具備することを特徴とする。
【００３５】
【発明の実施の形態】
以下、本発明の実施形態について添付図面を参照して詳細に説明する。
【００３６】
図１は、本発明に係わる遊技媒体貸出システムの全体構成を示すブロック図である。
【００３７】
この遊技媒体貸出システムは、各種の遊技場、中でもパチンコ店に設置されるシステムを前提としている。
【００３８】
図１において、１０は遊技ユニットであり、遊技台１１と、遊技台１１及び隣接する遊技台１１間に設けられる台間カード処理機（特許請求の範囲における台間処理装置に相当）１２とにより構成される。
【００３９】
遊技台１１は、例えば、ＣＲパチンコ台であり、台間カード処理機１２での後述する処理により貸し出される玉（パチンコ玉）を用いて遊技（パチンコ）を行なうものである。
【００４０】
遊技台１１としては、この他、パチスロ機やパチンコ台等がある。この場合、台間カード処理機１２としては、上記種別に対応して、ＣＲカードユニット、カード式メダル貸機、カード式玉貸機等を設置する必要がある。
【００４１】
台間カード処理機１２は、記憶媒体を受け入れて該記憶媒体に記憶された情報によって特定される価値情報に基づき、一対一に対応する遊技台１１で用いる遊技媒体（この例では、玉）の貸し出し等の処理を行なうものである。
【００４２】
特に、本発明に係わる台間カード処理機１２は、記憶媒体として電子マネーの機能を有するＩＣカードを受け入れてその電子マネーの残高（電子マネー価値）の少なくとも一部をプリペイドカードの残高（プリペイド価値）に変換し、更に、このプリペイド価値の少なくとも一部を遊技媒体の価値に変換して当該価値分の遊技媒体の貸し出しを行なうものである。
【００４３】
２０は、複数の遊技ユニット１０と通信手段により接続され、これら各遊技ユニット１０に対応する台間カード処理機１２並びに遊技台１１の制御を行なう島コントローラである。
【００４４】
このシステムでは、１つの島コントローラ２０と複数の遊技ユニット１０により１つの島３０が構成される。このように、１つの島コントローラ２０と該島コントローラ２０により制御される複数の遊技ユニット１０を基本単位とする島３０は当該パチンコ店のホール内に多数配置される。
【００４５】
４０は、遊技台１１での遊技終了時点で、プリペイド価値の残高が余っている場合、該プリペイド価値を電子マネー価値に変換して加算することで当該プリペイドカード価値を精算するカード精算機である。
【００４６】
このカード精算機４０と同等のカード精算機能は、台間カード処理機１２にも備わっており、遊技者は、台間カード処理機１２またはカード精算機４０でプリペイド価値の残高を電子マネー価値へと精算することができる。
【００４７】
５０は、島コントローラ２０、カード精算機４０等とローカルエリアネットワーク（ＬＡＮ）６０で接続され、該ＬＡＮ６０を介して遊技台１１、台間カード処理機１２及びカード精算機４０から収集した処理結果情報に基づき電子マネーやプリペイドカードの利用状況、現金またはプリペイド売上等の売上管理を行なう管理コンピュータである。
【００４８】
この例では、管理コンピュータ５０は、メインコンピュータ５１ａ、電子マネー管理用コンピュータ５１ｂ、プリペイド管理用コンピュータ５１ｃ、売上管理用コンピュータ５１ｄに分けて実現される。
【００４９】
上記コンピュータ５１ｂ、５１ｃ、５１ｄは、メインコンピュータ５１ａの制御の下で、それぞれ、電子マネー管理（電子マネーからの利用額、利用回数、電子マネーへの入金額等）、プリペイド管理（プリペイドカードの発行額、利用金額、玉貸し等）、売上管理（現金売上及びプリペイド売上を分けて集計・出力する等）を行なう。
【００５０】
また、管理コンピュータ５０にはプリンタ５５が接続される。プリンタ５５は、上述した電子マネー管理、プリペイド管理、売上管理に係わる集計結果等を必要に応じて出力（プリントアウト）するために用いられる。
【００５１】
また、管理コンピュータ５０において、例えば、電子マネー管理用コンピュータ５１ｂは、電子マネーへの処理結果例えば利用額、入金額、カード識別番号を所定の通信手段により電子マネーセンタ７０へ通知する制御も行なう。
【００５２】
電子マネーセンタ７０は、パチンコ店の外部に設置されており、電子マネー管理用コンピュータ５１ｂから通知される上記情報を受信し、カード識別番号で識別される電子マネー口座に対する電子マネー利用額の決済処理等を行なう。
【００５３】
このように、複数の遊技ユニット１０と１つの島コントローラ２０が配置される複数の島３０、カード精算機４０、管理コンピュータ５０、島コントローラ２０とカード精算機４０及び管理コンピュータ５０間を接続するＬＡＮ６０、管理コンピュータ５０に接続される電子マネーセンタ７０により構成される本発明の遊技媒体貸出システムにおいて、遊技媒体貸出に係わる処理動作について具体的実施例を挙げながら順に説明していく。
【００５４】
第１の実施例：
第１の実施例に係わる遊技媒体貸出システムでは、遊技媒体の貸出に利用する記憶媒体として、電子マネーの機能を有するＩＣカードと、該ＩＣカードとは別体（別媒体）のプリペイドカードを用いる。
【００５５】
図２は、第１の実施例で用いる記憶媒体の構成を示す概念図である。
【００５６】
図２（ａ）は、電子マネーの機能を有するＩＣカード（以下、電子マネーカードという）８０の構成を示すものであり、利用者の口座番号やカードＩＤ等の顧客情報を記憶する顧客情報領域Ｍ１１と、電子マネーとして用い得る貨幣価値（電子マネー価値）の残高を記憶する残高領域Ｍ１２とを有している。
【００５７】
つまり、電子マネーカード８０は、電子マネー価値を特定可能な情報が記憶される電子マネー価値情報記憶手段として用いられる。
【００５８】
尚、この電子マネーカード８０は、当該パチンコ店だけでなく、対応する端末装置が設置される店舗や自動販売機等において、電子マネー価値を使って希望する物品を購入したり、各種サービスを受けたりできるものである。
【００５９】
図２（ｂ）は、プリペイドカード８５の構成を示すものであり、カードＩＤ等の顧客情報を記憶する顧客情報領域Ｍ２１と、遊技媒体の貸し出しに利用可能なプリペイド価値（度数等）の残高を記憶する残高領域Ｍ２２とを有している。
【００６０】
つまり、プリペイドカード８５は、遊技媒体の貸し出しに利用されるプリペイド価値を特定可能な情報が記憶されるプリペイド価値情報記憶手段として用いられる。なお、プリペイドカード８５は、磁気カードやＩＣカード等、カードの形式を問わずに用いることができる。
【００６１】
図３は、第１の実施例に係わる台間カード処理機１２の外観構造を示す図であり、図４はこの台間カード処理機１２の機能構成を示すブロック図である。
【００６２】
図３において、台間カード処理機１２には、外観上、現金（貨幣）を挿入する現金挿入口１２０、操作ガイダンス等の各種情報を表示する表示器１２１、テンキー１２２、電子マネーを利用した玉貸し要求を指示する電子マネー玉貸ボタン１２３、電子マネーの残高に新たに電子マネー価値をチャージすることを指示する電子マネーチャージボタン１２４、プリペイドの残高に新たにプリペイド価値をチャージすることを指示するプリペイドチャージボタン１２５、プリペイド価値を電子マネー価値に精算することを指示するプリペイド精算ボタン１２６、電子マネーカード８０の返却要求を指示する電子マネー返却ボタン１２７、電子マネーカード８０を挿入する電子マネー挿入口１２８、プリペイドカード８５を挿入するプリペイドカード挿入口１２９が備わる。
【００６３】
この台間カード処理機１２には、各種処理機能部として、図４に示すように、管理コンピュータ５０との通信の制御を行なう通信制御部１３０、現金収容部，現金識別部，現金制御部から成る現金処理部１３１、図３における表示器１２１に相当する表示部１３２、動作プログラム等の各種情報を記憶するメモリ部１３３、図３におけるテンキー１２２、各ボタン１２３，１２４，１２５，１２６，１２７等から成るキー操作部１３４、電子マネー挿入口１２８を通じて電子マネーカード８０の取り込みと排出を行なうＩＣカード挿入／排出部１３５、ＩＣカード挿入／排出部１３５に取り込まれた電子マネーカード８０からの情報の読み出しと書き込みを行なうＩＣカードリード／ライト部１３６、プリペイドカード挿入口１２９を通じてプリペイドカード８５の取り込みと排出を行なうプリペイドカード挿入／排出部１３７、プリペイドカード挿入／排出部１３７に取り込まれたプリペイドカード８５からの情報の読み出しと書き込みを行なうプリペイドカードリード／ライト部１３８、当該台間カード処理機１２全体の制御を行なう制御部１３９が備わる。
【００６４】
このうち、制御部１３９には、当該台間カード処理機１２での電子マネー玉貸し処理をはじめとする各種の処理の処理結果を管理コンピュータ５０に通知する処理結果通知部１４０、遊技台１１に対して貸し玉の払い出しを指示する玉貸制御部１４１、プリペイドカード８５を対象に情報の読み出し／書き込み等の制御を行なうプリペイドカード制御部１４２、電子マネーカード８０を対象に情報の読み出し／書き込み等の制御を行なうＩＣカード制御部１４３、電子マネー価値の少なくとも一部をプリペイド価値に変換する（例えば、電子マネーの金額→プリペイドカードの度数）価値変換機能、プリペイド価値の少なくとも一部を遊技媒体の価値に変換する（例えば、プリペイドカードの度数→遊技媒体の数）価値変換機能、プリペイド価値の少なくとも一部を電子マネー価値に変換する（例えば、プリペイドカードの度数→電子マネーの金額）価値変換機能を有する価値変換部１４４が備わる。
【００６５】
図５は、第１の実施例に係わるカード精算機４０の外観構造を示す図であり、図６はこのカード精算機４０の機能構成を示すブロック図である。
【００６６】
図５において、カード精算機４０には、外観上、操作ガイダンス等の各種情報を表示する表示器４０１、プリペイド価値を電子マネー価値に精算することを指示する電子マネー精算ボタン４０２、プリペイド価値を現金に精算することを指示する現金精算ボタン４０３、電子マネーカード８０を挿入する電子マネー挿入口４０４、プリペイドカード８５を挿入するプリペイドカード挿入口４０５、現金を挿入すると共に、精算額に相当する現金の払出しを行なう現金挿入／排出口４０６が備わる。
【００６７】
このカード精算機４０には、各種処理機能部として、図６に示すように、管理コンピュータ５０との通信の制御を行なう通信制御部４１０、現金収容／払出し部，現金識別部，現金制御部から成る現金処理部４１１、図５における表示器４０１に相当する表示部４１２、動作プログラム等の各種情報を記憶するメモリ部４１３、図５における電子マネー精算ボタン４０２，現金精算ボタン４０３等から成るキー操作部４１４、電子マネー挿入口４０４を通じて電子マネーカード８０の取り込みと排出を行なうＩＣカード挿入／排出部４１５、ＩＣカード挿入／排出部４１５に取り込まれた電子マネーカード８０からの情報の読み出しと書き込みを行なうＩＣカードリード／ライト部４１６、プリペイドカード挿入口４０５を通じてプリペイドカード８５の取り込みと排出を行なうプリペイドカード挿入／排出部４１７、プリペイドカード挿入／排出部４１７に取り込まれたプリペイドカード８５からの情報の読み出しと書き込みを行なうプリペイドカードリード／ライト部４１８、当該カード精算機４０全体の制御を行なう制御部４１９が備わる。
【００６８】
このうち、制御部４１９には、当該カード精算機４０でのカード精算処理をはじめとする各種の処理の処理結果を管理コンピュータ５０に通知する処理結果通知部４２１、プリペイドカード８５を対象に情報の読み出し／書き込み等の制御を行なうプリペイドカード制御部４２２、電子マネーカード８０を対象に情報の読み出し／書き込み等の制御を行なうＩＣカード制御部４２３、プリペイド価値の少なくとも一部を電子マネー価値若しくは現金に変換する価値変換機能を持つ価値変換部４２４が備わる。
【００６９】
次に、第１の実施例に係わる台間カード処理機１２における遊技開始から遊技終了までの処理動作について図７から図１１を参照して説明する。
【００７０】
まず、この台間カード処理機１２における電子マネーからの遊技媒体貸出（玉貸し）処理動作について図７を参照して説明する。
【００７１】
図７に示すように、玉貸しに際しては、まず、台間カード処理機１２のプリペイドカード挿入口１２９よりプリペイドカード挿入／排出部１３７に対して残高０円のプリペイドカード８５を挿入し、保持させておく（ステップＳ７１）。
【００７２】
なお、本実施例では、プリペイドカード８５をプリペイドカード挿入／排出部１３７に挿入し、遊技終了後はプリペイドカード挿入／排出部１３７より排出させる例を挙げるが、該プリペイドカード８５はプリペイドカード挿入／排出部１３７に保持されていて、取り出しできないような構成であっても良い。
【００７３】
次に、遊技客は、自分が所持する電子マネーカード８０を、台間カード処理機１２の電子マネーカード挿入口１２８よりＩＣカード挿入／排出部１３５に対して挿入する（ステップＳ７２）。
【００７４】
次いで、遊技客は、台間カード処理機１２の電子マネー玉貸ボタン１２３を押下する（ステップＳ７３）。これにより、プリペイドカード制御部１４２の制御の下でプリペイドカードリード／ライト部１３８がプリペイドカード８６の残高領域Ｍ２２からプリペイド価値の残高を読み出し、ＩＣカード制御部１４３の制御の下でＩＣカードリード／ライト部１３６が電子マネーカード８０の残高領域Ｍ１２から電子マネー価値の残高を読み出し、価値変換部１４４に渡す。
【００７５】
価値変換部１４４は、電子マネー価値の残高から予め設定されている玉貸分の金額を減算する（ステップＳ７４）と共に、ＩＣカードリード／ライト部１３６に指示して当該減算結果に相当する金額を電子マネーカード８０の残高領域Ｍ１２に書き込むように制御する。
【００７６】
また、価値変換部１４４は、上記電子マネー価値の残高から減算した金額分の価値（プリペイド価値）をプリペイド価値の残高に加算する（ステップＳ７５）と共に、プリペイドカードリード／ライト部１３８に指示して当該加算結果に相当する価値をプリペイドカード８５の残高領域Ｍ２２に書き込むように制御する。
【００７７】
これにより、電子マネーカード８０の電子マネー価値の残高から玉貸分の金額を減算し（ステップＳ７４）、この減算した金額分の価値をプリペイドカード８５のプリペイド価値の残高へ追加入金（ステップＳ７５）する処理（電子マネー価値をプリペイド価値に変換する処理）が行なわれる。
【００７８】
引き続き、価値変換部１４４は、プリペイドカード８５のプリペイド価値の残高から玉貸分の価値を再度減算し、プリペイドカードリード／ライト部１３８を制御して当該減算結果に相当する価値をプリペイドカード８５の残高領域Ｍ２２に書き込ませると共に、玉貸制御部１４１に玉貸しの指示を出し、遊技台１１から上記玉貸価値分の玉を払出すように制御する（ステップＳ７６）。このステップＳ７６の処理は、プリペイド価値を遊技媒体の価値に変換する処理と言える。
【００７９】
図７の例は、電子マネーカード８０から予め設定された玉貸金額分の電子マネー価値をプリペイドカード８５のプリペイド価値へと価値移動する場合の例であるが、指定金額分の電子マネー価値をプリペイド価値へと変換することも可能である。
【００８０】
この指定金額分の価値を移動する場合の処理動作について図８を参照して説明する。
【００８１】
この場合、遊技客は、図８に示すように、プリペイドカード８５と電子マネーカード８０を該当個所に挿入し（ステップＳ７１，Ｓ７２）、かつ電子マネー玉貸ボタン１２３を押下（ステップＳ７３）した後（以上の操作は図７と同様）、テンキー１２２を操作して所望の金額を指定する（ステップＳ８１）。
【００８２】
これにより、プリペイドカード制御部１４２の制御の下でプリペイドカードリード／ライト部１３８がプリペイドカード８５の残高領域Ｍ２２からプリペイド価値の残高を読み出し、ＩＣカード制御部１４３の制御の下でＩＣカードリード／ライト部１３６が電子マネーカード８０の残高領域Ｍ１２から電子マネー価値の残高を読み出し、価値変換部１４４に渡す。
【００８３】
価値変換部１４４は、電子マネー価値の残高からテンキー１２２により指定された上記金額を減算する（ステップＳ８２）と共に、ＩＣカードリード／ライト部１３６に指示して当該減算結果に相当する金額を電子マネーカード８０の残高領域Ｍ１２に書き込むように制御する。
【００８４】
また、価値変換部１４４は、上記電子マネー価値の残高から減算した金額分の価値（プリペイド価値）をプリペイド価値の残高に加算する（ステップＳ８３）と共に、プリペイドカードリード／ライト部１３８に指示して当該加算結果に相当する価値をプリペイドカード８５の残高領域Ｍ２２に書き込むように制御する。
【００８５】
これにより、電子マネーカード８０の電子マネー価値の残高から指定金額を減算し（ステップＳ８２）、該減算した金額分のプリペイド価値をプリペイドカード８５のプリペイド価値の残高へ追加入金（ステップＳ８３）する処理（電子マネー価値をプリペイド価値に変換する処理）が行なわれる。
【００８６】
その後、遊技客が遊技台１１の玉貸ボタン（図示せず）を押下すると（ステップＳ８４）、価値変換部１４４は、プリペイドカード８５のプリペイド価値の残高から予め設定された玉貸分の価値を再度減算し、プリペイドカードリード／ライト部１３８を制御して当該減算結果に相当する価値をプリペイドカード８５の残高領域Ｍ２２に書き込ませると共に、玉貸制御部１４１に玉貸しの指示を出し、遊技台１１から上記玉貸価値分の玉を払出すように制御する（ステップＳ８５）。このステップＳ８５の処理は、プリペイド価値を遊技媒体の価値に変換する処理と言える。
【００８７】
次に、台間カード処理機１２内の電子マネーカード８０の電子マネー価値の残高が不足している場合の現金を用いた電子マネーチャージ処理動作について図９を参照して説明する。
【００８８】
図９に示すように、プリペイドカード８５と電子マネーカード８０を該当個所に挿入して遊技を行なっている時、台間カード処理機１２では、例えば、制御部１３９が電子マネーカード８０及びプリペイドカード８５の残高を監視しており、これらの残高を表示器１２１に表示する等の方法で報知する。
【００８９】
この報知により、電子マネーカード８０の電子マネー価値の残高が不足したことを認識した遊技客は、台間カード処理機１２の現金挿入口１２０に対してチャージしようとする金額分の現金（貨幣）を挿入する（ステップＳ９１）。
【００９０】
これにより、現金処理部１３１では、現金制御部の制御の下で、現金識別部が当該挿入された貨幣の金額の識別の処理を行なって該金額を価値変換部１４４に通知すると共に、当該貨幣を現金収容部まで搬送して収容する。
【００９１】
一方、価値変換部１４４は、現金識別部から今回挿入された貨幣の金額の通知を受けると、ＩＣカード制御部１４３の制御の下でＩＣカードリード／ライト部１３６が読み出した電子マネー価値の残高に対して、今回挿入された貨幣分の金額を加算する（ステップＳ９２）と共に、ＩＣカードリード／ライト部１３６に指示して当該加算結果に相当する金額を電子マネーカード８０の残高領域Ｍ１２に書き込むように制御する。
【００９２】
以上のように、現金挿入口１２０に現金（貨幣）を挿入することで、該現金の価値分の金額を電子マネーカード８０に対してチャージすることができる。その後の玉貸し出しの処理は、図７に示した方法（ステップＳ７３〜Ｓ７６）で実現できる。
【００９３】
なお、図９の例では、現金挿入口１２０に挿入された現金（貨幣）分の金額を無条件で電子マネーカード８０にチャージする場合について述べたが、電子マネーカード８０にチャージするかプリペイドカード８５にチャージするかを選択的に実施することもできる。
【００９４】
電子マネーカード８０にチャージするかプリペイドカード８５にチャージするかを選択的に行なう場合のチャージ処理動作について図１０を参照して説明する。
【００９５】
まず、電子マネーカード８０に電子マネーをチャージする場合、遊技客は、図１０に示すように、台間カード処理機１２の現金挿入口１２０に対してチャージしようとする金額分の現金（貨幣）を挿入し（ステップＳ１０１）、次いで、電子マネーチャージボタン１２４を押下する（ステップＳ１０２）。
【００９６】
これにより、現金処理部１３１では、現金制御部の制御の下で、現金識別部が当該挿入された貨幣の金額の識別の処理を行なって該金額を価値変換部１４４に通知すると共に、当該貨幣を現金収容部まで搬送して収容する。
【００９７】
価値変換部１４４は、今回挿入された貨幣の金額の通知を現金識別部より受け、かつ電子マネーチャージボタン１２４が押下されたことを認識すると、ＩＣカード制御部１４３の制御の下でＩＣカードリード／ライト部１３６が読み出した電子マネー価値の残高に対して、今回挿入された貨幣分の金額を加算する（ステップＳ１０３）と共に、ＩＣカードリード／ライト部１３６に指示して当該加算結果に相当する金額を電子マネーカード８０の残高領域Ｍ１２に書き込むように制御する。
【００９８】
このように、現金挿入口１２０に現金（貨幣）を挿入した後、電子マネーチャージボタン１２４を押下することで、該貨幣の価値に相当する金額を電子マネーカード８０に対してチャージすることができる。その後の玉貸し出しの処理は、図７に示した方法（ステップＳ７３〜Ｓ７６）で実現できる。
【００９９】
また、図１０において、現金挿入口１２０に現金（貨幣）を挿入（ステップＳ１０１）した後、電子マネーカード８０にチャージしない場合、遊技客は、プリペイドチャージボタン１２５を押下する（ステップＳ１０４）。
【０１００】
これにより、価値変換部１４４は、今回挿入された貨幣の金額の通知を現金処理部１３１の現金識別部より受け、かつプリペイドチャージボタン１２５が押下されたことを認識すると、プリペイドカード制御部１４２の制御の下でプリペイドカードリード／ライト部１３８が読み出したプリペイド価値の残高に対して、今回挿入された貨幣の金額分の価値（プリペイド価値）を加算する（ステップＳ１０５）と共に、プリペイドカードリード／ライト部１３８に指示して当該加算結果に相当する価値をプリペイドカード８５の残高領域Ｍ２２に書き込むように制御する。
【０１０１】
このように、現金挿入口１２０に現金（貨幣）を挿入した後、プリペイドチャージボタン１２５を押下することで、該貨幣の価値に相当する金額をプリペイドカード８５に対してチャージすることができる。その後の玉貸し出しの処理は、遊技台１１の玉貸ボタンを押下するという方法（図８におけるステップＳ８４〜Ｓ８５）で実現できる。
【０１０２】
次に、台間カード処理機１２において、プリペイドカード８５のプリペイド価値の残高を電子マネー価値に精算する場合の処理動作について図１１を参照して説明する。
【０１０３】
遊技台１１での遊技終了後、例えば、上述した電子マネーカード８０及びプリペイドカード８５の残高の報知（表示器１２１への表示：図９の説明参照）により、プリペイド価値の残高が残っている場合、遊技客は、図１１に示すように、電子マネー価値への精算を行なうべくプリペイド精算ボタン１２６を押下する（ステップＳ１１１）。
【０１０４】
価値変換部１４４では、上記プリペイド精算ボタン１２６が押下されたことを認識すると、プリペイドカードリード／ライト部１３８により読み出されたプリペイド価値の残高から全残高を減算する（ステップＳ１１２）と共に、プリペイドカードリード／ライト部１３８に指示して当該減算結果に相当する金額（０円）をプリペイドカード８５の残高領域Ｍ２２に書き込むように制御する。
【０１０５】
また、価値変換部１４４は、上記プリペイド価値から減算した価値（プリペイドカード８５の全残高）分の金額を電子マネーカード８０の残高に加算する（ステップＳ１１３）と共に、ＩＣカードリード／ライト部１３６に指示して当該加算結果に相当する金額を電子マネーカード８０の残高領域Ｍ１２に書き込むように制御する。
【０１０６】
これにより、台間カード処理機１２において、プリペイドカード８５の全残高を減算し（ステップＳ１１２）、この減算した価値分の金額を電子マネーカード８０の残高へ追加入金（ステップＳ１１３）する精算処理（プリペイド価値を電子マネー価値に変換する処理）が行なわれる。
【０１０７】
上記精算処理終了後、遊技客は、電子マネー返却ボタン１２７を押下することにより、電子マネーカード８０を電子マネー挿入口１２８より取り出し、遊技を終了する。
【０１０８】
また、プリペイドカード８５が台間カード処理機１２に対して挿入／排出可能に構成されている場合には、遊技終了後、プリペイドカード返却ボタン（図示せず）を押下することにより、このプリペイドカード８５も台間カード処理機１２から取り出す。
【０１０９】
次に、カード精算機４０において、プリペイドカード８５の残高を電子マネー価値に精算する場合の処理動作について図１２を参照して説明する。
【０１１０】
本システムでは、遊技が終了し、例えば、図１１で説明した台間カード処理機１２での精算処理（ステップＳ１１１〜Ｓ１１３）を行わないまま電子マネーカード８０とプリペイドカード８５を台間カード処理機１２から取り出した後、カード精算機４０において、プリペイドカード８５のプリペイド価値の残高を電子マネーに精算することができる。
【０１１１】
この場合、遊技者は、まず、図１２に示すように、残高の残っているプリペイドカード８５をカード精算機４０のプリペイドカード挿入口４０５に挿入する（ステップＳ１２１）。
【０１１２】
次に、精算先の電子マネーカード８０を電子マネー挿入口４０４に挿入する（ステップＳ１２２）。
【０１１３】
挿入されたプリペイドカード８５及び電子マネーカード８０は、カード精算機４０内において、それぞれ、プリペイドカード挿入／排出部４１７及びＩＣカード挿入／排出部４１５（図６参照）に保持される。
【０１１４】
上述の如く、プリペイドカード８５及び電子マネーカード８０を挿入後、遊技者は、プリペイドカード８５のプリペイド価値の残高から電子マネー価値への精算を行なうべく電子マネー精算ボタン４０２を押下する（ステップＳ１２３）。
【０１１５】
これにより、カード精算機４０では、制御部４１９内の価値変換部４２４において、電子マネー精算ボタン４０２が押下されたことが認識される。
【０１１６】
価値変換部４２４では、上記電子マネー精算ボタン４０２が押下されたことを認識すると、プリペイドカードリード／ライト部４１８により読み出されたプリペイド価値の残高から全残高を減算する（ステップＳ１２４）と共に、プリペイドカードリード／ライト部４１８に指示して当該減算結果に相当する金額（０円）をプリペイドカード８５の残高領域Ｍ２２に書き込むように制御する。
【０１１７】
また、価値変換部４２４は、上記プリペイド価値の残高から減算した価値（プリペイドカード８５の全残高）分の金額を電子マネーカード８０の残高に加算する（ステップＳ１２５）と共に、ＩＣカードリード／ライト部４１６に指示して当該加算結果に相当する金額を電子マネーカード８０の残高領域Ｍ１２に書き込むように制御する。
【０１１８】
これにより、カード精算機４０において、プリペイドカード８５のプリペイド価値の全残高を減算し（ステップＳ１２４）、この減算した価値分の金額を電子マネーカード８０の残高へ追加入金（ステップＳ１２５）する精算処理（プリペイド価値を電子マネー価値に変換する処理）が行なわれる。
【０１１９】
上記精算処理終了後、遊技客は、電子マネーカード８０及びプリペイドカード８５をカード精算機４０から取り出して所持する。プリペイド価値が無くなったプリペイドカードについては、遊技客に返却しないで、カード精算機内に回収されるようにしてもよい。
【０１２０】
なお、カード精算機４０では、プリペイドカード８５をプリペイドカード挿入口４０５に挿入し、現金精算ボタン４０３を押下することで、プリペイドカード８５のプリペイド価値の全残高を現金で精算することもできる。この場合、精算額に相当する現金は、現金挿入／排出部４０６から払出される。
【０１２１】
この他、カード精算機４０では、電子マネーカード８０を電子マネー挿入口４０４に挿入した後、現金挿入／排出口４０６に現金を挿入することにより、現金からの電子マネーカード８０への電子マネー価値のチャージを行なうこともできる。
【０１２２】
同様に、プリペイドカード８５をプリペイドカード挿入口４０５に挿入した後、現金挿入／排出口４０６に現金を挿入することにより、現金からのプリペイドカード８５へのプリペイド価値のチャージを行なうこともできる。
【０１２３】
次に、本発明に係わる遊技媒体貸出システムの管理コンピュータ５０の処理動作について説明する。
【０１２４】
図１に示すように、本システムにおいて、管理コンピュータ５０は、島３０の単位毎に複数の台間カード処理機１２を制御する島コントローラ２０、並びにカード精算機４０とＬＡＮ６０を介して接続されている。
【０１２５】
この管理コンピュータ５０では、図７〜図１１で説明した処理動作中に台間カード処理機１２の処理結果通知部１４０から通知される処理結果（遊技台１１の玉貸し状況等も含む）、及び図１２で説明した処理動作中にカード精算機４０の処理結果通知部４２１から通知される処理結果をＬＡＮ６０を介して収集し、電子マネー管理、プリペイドカード発行管理、売上管理等の種々の管理並びに制御を行なう。
【０１２６】
より具体的には、台間カード処理機１２では、例えば、図７に示した電子マネーからの玉貸し処理動作、図８に示した指定金額分の電子マネー価値をプリペイド価値へと変換する処理動作、図９及び図１０に示した電子マネーカード８０へのチャージ処理動作に際して、電子マネーの売上、入金に係わる電子マネー売上／入金情報Ｄ１１（図１参照）を管理コンピュータ５０に通知する。
【０１２７】
また、カード精算機４０では、例えば、現金からの電子マネーカード８０へのチャージ処理動作に際して、電子マネーの売上、入金に係わる電子マネー売上／入金情報Ｄ１２（図１参照）を管理コンピュータ５０に通知する。
【０１２８】
また、台間カード処理機１２では、例えば、図７に示した電子マネーからの玉貸し処理動作、図１０に示したプリペイドカード８５へのチャージ処理動作、図１１に示したプリペイドカード８５の残高を電子マネーに精算する処理動作に際して、プリペイドカードの売上、精算に係わるプリペイドカード売上／精算情報Ｄ２１（図１参照）を管理コンピュータ５０に通知する。
【０１２９】
また、カード精算機４０では、例えば、現金からのプリペイドカード８５へのチャージ処理動作、図１２で説明したプリペイド価値から電子マネー価値への精算処理動作に際して、プリペイドカードの売上、精算に係わるプリペイドカード売上／精算情報Ｄ２２（図１参照）を管理コンピュータ５０に通知する。
【０１３０】
また、台間カード処理機１２では、例えば、図９及び図１０に示した現金からの電子マネーカード８０あるいはプリペイドカード８５へのチャージ処理動作に際して、現金の売上に係わる現金売上情報Ｄ３（図１参照）を管理コンピュータ５０に通知する。
【０１３１】
また、台間カード処理機１２では、図７に示した電子マネーからの玉貸しをはじめとした玉貸し（遊技台１１の玉貸しボタン押下での玉貸しを含む）処理動作に際して、遊技台１１の玉売上を示す遊技台玉売上情報Ｄ４（図１参照）を管理コンピュータ５０に通知する。
【０１３２】
一方、管理コンピュータ５０側では、台間カード処理機１２及びカード精算機４０から通知される上記処理結果情報に基づいて図１３に示すような管理を行なう。
【０１３３】
例えば、電子マネー管理用コンピュータ５１ｂは、上記台間カード処理機１２からの電子マネー売上／入金情報Ｄ１１、及びカード精算機４０からの電子マネー売上／入金情報Ｄ１２を受信して、電子マネーの売上／入金管理を行なう。
【０１３４】
この電子マネー売上／入金管理で管理する情報としては、例えば、電子マネーからの利用額、利用回数、電子マネーへの入金額、電子マネーのカード識別番号、カード識別番号毎の払出し・入金情報等がある。
【０１３５】
また、電子マネー管理用コンピュータ５１ｂは、電子マネー利用時の電子マネーへの処理結果（電子マネー利用額、入金額、カード識別番号）を通信手段を介して電子マネーセンタ７０へ通知する処理も行なう。
【０１３６】
また、管理コンピュータ５０側において、プリペイド管理用コンピュータ５１ｃは、上記台間カード処理機１２からのプリペイドカード売上／精算情報Ｄ２１、及びカード精算機４０からのプリペイドカード売上／精算情報Ｄ２２を受信して、プリペイドカードの売上／精算管理を行なう。
【０１３７】
このプリペイドカード売上／精算管理においては、プリペイドカードの発行金額、利用金額、玉貸し等の管理を行う。特に、本発明では、プリペイド発行（売上）管理を、現金での発行、電子マネーでの発行に分けて集計管理し、必要に応じてプリンタ５５で出力できるようにしている。望ましくは、現金での発行と、電子マネーでの発行とが一括集計できたり、分割集計できる必要がある。
【０１３８】
また、管理コンピュータ５０側において、売上管理用コンピュータ５１ｄは、上記台間カード処理機１２からの現金売上情報Ｄ３及び遊技台玉売上情報Ｄ４を受信して、売上管理を行なう。
【０１３９】
この売上管理においては、特に、電子マネー売上、プリペイドカード売上、現金売上毎に集計管理し、必要に応じてプリンタ５５で出力できるようにしている。望ましくは、電子マネー売上、プリペイドカード売上、現金売上の一括集計・出力、及びそれぞれの項目毎の集計・出力が行なえる必要がある。
【０１４０】
なお、管理コンピュータ５０は、図１に示したように、電子マネー管理用コンピュータ５１ｂ、プリペイド管理用コンピュータ５１ｃ、売上管理用コンピュータ５１ｄ毎に別のコンピュータにより実現する構成に限らず、同一コンピュータ内の機能として実現しても良い。
【０１４１】
なお、上記実施例では、プリペイドカード８５にプリペイドカード価値の情報を記憶するようにしているが、変形例としては、プリペイドカード８５にカードＩＤのみを記録し、該カードＩＤに関連付けられる価値情報を管理コンピュータ５０側で管理する構成としても良い。
【０１４２】
このようにすれば、台間カード処理機１２に、プリペイドカードへのデータ書き込み機能を持たせる必要が無くなり、台間カード処理機１２のコストダウンを図ることが可能となる。
【０１４３】
また、電子マネーカード８０としては、上述した接触型の媒体（ＩＣカード）に限らず、非接触型の媒体を用い、台間カード処理機１２にデータ送受信用のアンテナ部を設けた構成としても良い。
【０１４４】
この構成の場合は、非接触型の電子マネーを台間カード処理機１２側のアンテナ部にかざすだけで上述した玉貸し等の処理を完了させることができる。また、電子マネーの挿入、排出に関する機構や動作が不要になるため、カードの詰まりや故障をなくすことができる。
【０１４５】
第２の実施例：
次に、第２の実施例について説明する。
【０１４６】
第２の実施例に係わる遊技媒体貸出システムでは、遊技媒体の貸出に利用する記憶媒体として、電子マネーの機能とプリペイドカードの機能を一体化させた一体型ＩＣカードを用いる。
【０１４７】
図１４は、第２の実施例で用いる記憶媒体の構成を示す概念図である。
【０１４８】
この記憶媒体は、電子マネー機能部とプリペイドカード機能部を備える一体型ＩＣカード８７で実現される。
【０１４９】
電子マネー機能部は、電子マネーに関する利用者口座番号やカードＩＤ等の顧客情報を記憶する顧客情報領域Ｍ３１と、電子マネーとして用い得る貨幣価値（電子マネー価値）の残高を記憶する残高領域Ｍ３２とから構成される。
【０１５０】
プリペイドカード機能部は、プリペイドカードに関するカードＩＤ等の顧客情報を記憶する顧客情報領域Ｍ３３と、遊技媒体の貸し出しに利用可能なプリペイド価値（度数等）の残高を記憶する残高領域Ｍ３４とから構成される。
【０１５１】
つまり、第２の実施例に係わるシステムでは、電子マネー価値を特定可能な情報が記憶される電子マネー価値情報記憶手段（電子マネー機能部）と、遊技媒体の貸し出しに利用されるプリペイド価値を特定可能な情報が記憶されるプリペイド価値情報記憶手段（プリペイドカード機能部）とが単一の記憶媒体〔一体型ＩＣカード（以下、一体型電子マネーカードと略称する）８７〕上に形成される。
【０１５２】
図１５は、第２の実施例に係わる台間カード処理機１２Ａの外観構造を示す図であり、図１６はこの台間カード処理機１２Ａの機能構成を示すブロック図である。
【０１５３】
図１５に示す台間カード処理機１２Ａの外観構造において、１２８Ａは上述した一体型電子マネーカード８７を挿入するカード挿入口であり、１２７Ａは挿入した一体型電子マネーカード８７の返却要求を指示するカード返却ボタンである。
【０１５４】
これらカード返却ボタン１２７Ａ、カード挿入口１２８Ａ以外の構成（外観上の構成）は、第１の実施例に係わる台間カード処理機１２（図３参照）の対応各部と同一である（同一の機能を果たすものには同一の符号を付す）。
【０１５５】
また、図１６に示す台間カード処理機１２Ａの機能構成において、１３５Ａはカード挿入口１２８Ａを通じて一体型電子マネーカード８７の取り込みと排出を行なうＩＣカード挿入／排出部であり、１３６ＡはＩＣカード挿入／排出部１３５Ａに取り込まれた一体型電子マネーカード８７からの情報の読み出しと書き込みを行なうＩＣカードリード／ライト部である。
【０１５６】
また、この台間カード処理機１２Ａの制御部１３９Ａには、ＩＣカード挿入／排出部１３５Ａ及びＩＣカードリード／ライト部１３６Ａを駆動して、一体型電子マネーカード８７の電子マネー機能部とプリペイドカード機能部とを対象に情報の読み出し／書き込み等の制御を行なうカード制御部１４２Ａが設けられる。
【０１５７】
これらＩＣカード挿入／排出部１３５Ａ、ＩＣカードリード／ライト部１３６Ａ、カード制御部１４２Ａ以外の各処理機能部の構成は、第１の実施例に係わる台間カード処理機１２（図４参照）の対応各部と同一である（同一の機能を果たすものには同一の符号を付す）。
【０１５８】
図１７は、第２の実施例に係わるカード精算機４０Ａの外観構造を示す図であり、図１８はこのカード精算機４０Ａの機能構成を示すブロック図である。
【０１５９】
図１７に示すカード精算機４０Ａの外観構造において、４０４Ａは上述した一体型電子マネーカード８７を挿入するカード挿入口である。
【０１６０】
このカード挿入口４０４Ａ以外の構成（外観上の構成）は、第１の実施例に係わるカード精算機４０（図５参照）の対応各部と同一である（同一の機能を果たすものには同一の符号を付す）。
【０１６１】
また、図１８に示すカード精算機４０Ａの機能構成において、４１５Ａはカード挿入口４０４Ａを通じて一体型電子マネーカード８７の取り込みと排出を行なうＩＣカード挿入／排出部であり、４１６ＡはＩＣカード挿入／排出部４１５Ａに取り込まれた一体型電子マネーカード８７からの情報の読み出しと書き込みを行なうＩＣカードリード／ライト部である。
【０１６２】
また、このカード精算機４０Ａの制御部４１９Ａには、ＩＣカード挿入／排出部４１５Ａ及びＩＣカードリード／ライト部４１６Ａを駆動して、一体型電子マネーカード８７の電子マネー機能部とプリペイドカード機能部とを対象に情報の読み出し／書き込み等の制御を行なうカード制御部４２２Ａが設けられる。
【０１６３】
これらＩＣカード挿入／排出部４１５Ａ、ＩＣカードリード／ライト部４１６Ａ、カード制御部４２２Ａ以外の各処理機能部の構成は、第１の実施例に係わるカード精算機４０（図６参照）の対応各部と同一である（同一の機能を果たすものには同一の符号を付す）。
【０１６４】
次に、第２の実施例に係わる台間カード処理機１２Ａにおける遊技開始から遊技終了までの処理動作について図１９から図２３を参照して説明する。
【０１６５】
まず、この台間カード処理機１２Ａにおける電子マネーからの遊技媒体貸出（玉貸し）処理動作について図１９を参照して説明する。
【０１６６】
図１９に示すように、玉貸しに際しては、まず、台間カード処理機１２Ａのカード挿入口１２８ＡよりＩＣカード挿入／排出部１３５Ａに対して、例えば、プリペイド残高領域Ｍ３４に記憶されたプリペイド価値の残高が０円の一体型電子マネーカード８７を挿入する（ステップＳ１９１）。
【０１６７】
次に、遊技客は、台間カード処理機１２Ａの電子マネー玉貸ボタン１２３を押下する（ステップＳ１９２）。これにより、カード制御部１４２Ａの制御の下でＩＣカードリード／ライト部１３６Ａが一体型電子マネーカード８７の電子マネー残高領域Ｍ３２とプリペイド残高領域Ｍ２４から電子マネー価値の残高とプリペイド価値の残高をそれぞれ読み出し、価値変換部１４４に渡す。
【０１６８】
価値変換部１４４は、電子マネー価値の残高から予め設定されている玉貸分の金額を減算する（ステップＳ１９３）と共に、ＩＣカードリード／ライト部１３６Ａに指示して当該減算結果に相当する金額を一体型電子マネーカード８７の電子マネー残高領域Ｍ３２に書き込むように制御する。
【０１６９】
また、価値変換部１４４は、上記一体型電子マネーカード８７の電子マネー価値の残高から減算した金額分の価値（プリペイド価値）をプリペイド価値の残高に加算する（ステップＳ１９４）と共に、ＩＣカードリード／ライト部１３６Ａに指示して当該加算結果に相当する価値を一体型電子マネーカード８７のプリペイド残高領域Ｍ３４に書き込むように制御する。
【０１７０】
これにより、１枚のカード（一体型電子マネーカード８７）内で、電子マネー残高から玉貸分の金額を減算し（ステップＳ１９３）、この減算した金額分の価値をプリペイド価値の残高へ追加入金（ステップＳ１９４）する処理（電子マネー価値をプリペイド価値に変換する処理）が行なわれる。
【０１７１】
引き続き、価値変換部１４４は、プリペイド価値の残高から玉貸分の価値を再度減算し、ＩＣカードリード／ライト部１３６Ａを制御して当該減算結果に相当する価値をプリペイド残高領域Ｍ３４に書き込ませると共に、玉貸制御部１４１に玉貸しの指示を出し、遊技台１１から上記玉貸価値分の玉を払出すように制御する（ステップＳ１９５）。このステップＳ１９５の処理は、プリペイド価値を遊技媒体の価値に変換する処理と言える。
【０１７２】
図１９の例は、一体型電子マネーカード８７内で、予め設定された玉貸金額分の電子マネー価値をプリペイド価値へと価値移動する場合の例であるが、指定金額分の電子マネー価値をプリペイド価値へと変換することも可能である。
【０１７３】
この指定金額分の価値を移動する場合の処理動作について図２０を参照して説明する。
【０１７４】
この場合、遊技客は、図２０に示すように、一体型プリペイドカード８７をカード挿入口１２８ＡよりＩＣカード挿入／排出部１３５Ａに対して挿入し（ステップＳ１９１）、かつ電子マネー玉貸ボタン１２３を押下（ステップＳ１９２）した後（以上の操作は図１９と同様）、テンキー１２２を操作して所望の金額を指定する（ステップＳ２０１）。
【０１７５】
これにより、カード制御部１４２Ａの制御の下でＩＣカードリード／ライト部１３６Ａが一体型電子マネーカード８７の電子マネー残高領域Ｍ３２とプリペイド残高領域Ｍ２４から電子マネー価値の残高とプリペイド価値の残高をそれぞれ読み出し、価値変換部１４４に渡す。
【０１７６】
価値変換部１４４は、電子マネー価値の残高からテンキー１２２により指定された上記金額を減算する（ステップＳ２０２）と共に、ＩＣカードリード／ライト部１３６Ａに指示して当該減算結果に相当する金額を一体型電子マネーカード８７の電子マネー残高領域Ｍ３２に書き込むように制御する。
【０１７７】
また、価値変換部１４４は、上記一体型電子マネーカード８７の電子マネー価値の残高から減算した金額分の価値（プリペイド価値）をプリペイド価値の残高に加算する（ステップＳ２０３）と共に、ＩＣカードリード／ライト部１３６Ａに指示して当該加算結果に相当する価値を一体型電子マネーカード８７のプリペイド残高領域Ｍ３４に書き込むように制御する。
【０１７８】
これにより、１枚のカード（一体型電子マネーカード８７）内で、電子マネー残高から指定金額を減算し（ステップＳ２０２）、この減算した金額分の価値をプリペイド価値の残高へ追加入金（ステップＳ２０３）する処理（電子マネー価値をプリペイド価値に変換する処理）が行なわれる。
【０１７９】
その後、遊技客が遊技台１１の玉貸ボタン（図示せず）を押下すると（ステップＳ２０４）、価値変換部１４４は、プリペイド残高から予め設定された玉貸分の価値を再度減算し、ＩＣカードリード／ライト部１３６Ａを制御して当該減算結果に相当する価値をプリペイド残高領域Ｍ３４に書き込ませると共に、玉貸制御部１４１に玉貸しの指示を出し、遊技台１１から上記玉貸価値分の玉を払出すように制御する（ステップＳ２０５）。このステップＳ２０５の処理は、プリペイド価値を遊技媒体の価値に変換する処理と言える。
【０１８０】
次に、台間カード処理機１２Ａに挿入された一体型電子マネーカード８７の電子マネー価値の残高が不足している場合の現金を用いた電子マネーチャージ処理動作について図２１を参照して説明する。
【０１８１】
図２１に示すように、一体型電子マネーカード８７を挿入して遊技を行なっている時、台間カード処理機１２Ａでは、例えば、制御部１３９Ａが電子マネー価値の残高及びプリペイド価値の残高を監視しており、これらの残高を表示器１２１に表示する等の方法で報知する。
【０１８２】
この報知により、電子マネー価値の残高が不足したことを認識した遊技客は、台間カード処理機１２Ａの現金挿入口１２０に対してチャージしようとする額の現金（貨幣）を挿入する（ステップＳ２１１）。
【０１８３】
これにより、現金処理部１３１では、現金制御部の制御の下で、現金識別部が当該挿入された貨幣の金額の識別の処理を行なって該金額を価値変換部１４４に通知すると共に、当該貨幣を現金収容部まで搬送して収容する。
【０１８４】
一方、価値変換部１４４は、現金識別部から今回挿入された貨幣の金額の通知を受けると、カード制御部１４２Ａの制御の下でＩＣカードリード／ライト部１３６Ａが電子マネー残高領域Ｍ３２から読み出した電子マネー価値の残高に対して、今回挿入された貨幣分の金額を加算する（ステップＳ２１２）と共に、ＩＣカードリード／ライト部１３６Ａに指示して当該加算結果に相当する金額を一体型電子マネーカード８７の電子マネー残高領域Ｍ３２に書き込むように制御する。
【０１８５】
以上のように、現金挿入口１２０に現金（貨幣）を挿入することで、該現金の価値分の金額を一体型電子マネーカード８７の電子マネー残高領域Ｍ３２に対してチャージすることができる。その後の玉貸し出しの処理は、図１９に示した方法（ステップＳ１９２〜Ｓ１９５）で実現できる。
【０１８６】
なお、図２１の例では、現金挿入口１２０に挿入された現金（貨幣）分の金額を無条件で一体型電子マネーカード８７の電子マネー残高にチャージする場合について述べたが、電子マネー価値の残高にチャージするかプリペイド価値の残高にチャージするかを選択的に実施することもできる。
【０１８７】
電子マネー価値の残高にチャージするかプリペイド価値の残高にチャージするかを選択的に行なう場合のチャージ処理動作について図２２を参照して説明する。
【０１８８】
まず、一体型電子マネーカード８７の電子マネー価値の残高にチャージする場合、遊技客は、図２２に示すように、台間カード処理機１２Ａの現金挿入口１２０に対してチャージしようとする金額分の現金（貨幣）を挿入し（ステップＳ２２１）、次いで、電子マネーチャージボタン１２４を押下する（ステップＳ２２２）。
【０１８９】
これにより、現金処理部１３１では、現金制御部の制御の下で、現金識別部が当該挿入された貨幣の金額の識別の処理を行なって該金額を価値変換部１４４に通知すると共に、当該貨幣を現金収容部まで搬送して収容する。
【０１９０】
価値変換部１４４は、今回挿入された貨幣の金額の通知を現金識別部より受け、かつ電子マネーチャージボタン１２４が押下されたことを認識すると、カード制御部１４２Ａの制御の下でＩＣカードリード／ライト部１３６Ａが電子マネー残高領域Ｍ３２から読み出した電子マネー価値の残高に対して、今回挿入された貨幣分の金額を加算する（ステップＳ２２３）と共に、ＩＣカードリード／ライト部１３６Ａに指示して当該加算結果に相当する金額を電子マネー残高領域Ｍ３２に書き込むように制御する。
【０１９１】
このように、現金挿入口１２０に現金（貨幣）を挿入した後、電子マネーチャージボタン１２４を押下することで、該貨幣の価値に相当する金額を一体型電子マネーカード８７の電子マネー価値の残高に対してチャージすることができる。その後の玉貸し出しの処理は、図１９に示した方法（ステップＳ１９２〜Ｓ１９５）で実現できる。
【０１９２】
また、図２２において、現金挿入口１２０に現金（貨幣）を挿入（ステップＳ２２１）した後、一体型電子マネーカード８７の電子マネー価値の残高にチャージしない場合、遊技客は、プリペイドチャージボタン１２５を押下する（ステップＳ２２４）。
【０１９３】
これにより、価値変換部１４４は、今回挿入された貨幣の金額の通知を現金処理部１３１の現金識別部より受け、かつプリペイドチャージボタン１２５が押下されたことを認識すると、カード制御部１４２Ａの制御の下でＩＣカードリード／ライト部１３６Ａがプリペイド残高領域Ｍ３４から読み出したプリペイド価値の残高に対して、今回挿入された貨幣の金額分の価値（プリペイド価値）を加算する（ステップＳ２２５）と共に、ＩＣカードリード／ライト部１３６Ａに指示して当該加算結果に相当する価値を一体型電子マネーカード８７のプリペイド残高領域Ｍ３４に書き込むように制御する。
【０１９４】
このように、現金挿入口１２０に現金（貨幣）を挿入した後、プリペイドチャージボタン１２５を押下することで、該貨幣の金額に相当するプリペイド価値を一体型電子マネーカード８７のプリペイド価値の残高に対してチャージすることができる。その後の玉貸し出しの処理は、遊技台１１の玉貸ボタンを押下するという方法（図２０におけるステップＳ２０４〜Ｓ２０５）で実現できる。
【０１９５】
次に、台間カード処理機１２Ａにおいて、一体型電子マネーカード８７内で、プリペイド価値の残高を電子マネー価値に精算する場合の処理動作について図２３を参照して説明する。
【０１９６】
遊技台１１での遊技終了後、例えば、上述した電子マネー価値の残高及びプリペイド価値の残高の報知（表示器１２１への表示：図２１の説明参照）により、プリペイド価値の残高が残っている場合、遊技客は、図２３に示すように、電子マネー価値への精算を行なうべくプリペイド精算ボタン１２６を押下する（ステップＳ２３１）。
【０１９７】
価値変換部１４４では、上記プリペイド精算ボタン１２６が押下されたことを認識すると、ＩＣカードリード／ライト部１３６Ａによりプリペイド残高領域Ｍ３４から読み出されたプリペイド価値の残高から全残高を減算する（ステップＳ２３２）と共に、ＩＣカードリード／ライト部１３６Ａに指示して当該減算結果に相当する金額（０円）をプリペイド残高領域Ｍ３４に書き込むように制御する。
【０１９８】
また、価値変換部１４４は、上記プリペイド残高領域Ｍ３４から減算した価値（プリペイドの全残高）分の金額を電子マネー価値の残高に加算する（ステップＳ２３３）と共に、ＩＣカードリード／ライト部１３６Ａに指示して当該加算結果に相当する金額を一体型電子マネーカード８７の電子マネー残高領域Ｍ３２に書き込むように制御する。
【０１９９】
これにより、台間カード処理機１２Ａにおいて、一体型電子マネーカード８７内で、プリペイドの全残高を減算し（ステップＳ２３２）、この減算した価値分の金額を電子マネー価値の残高へ追加入金（ステップＳ２３３）する精算処理（プリペイド価値を電子マネー価値に変換する処理）が行なわれる。
【０２００】
上記精算処理終了後、遊技客は、カード返却ボタン１２７Ａを押下することにより、一体型電子マネーカード８７をカード挿入口１２８Ａより取り出し、遊技を終了する。
【０２０１】
次に、カード精算機４０Ａにおいて、一体型電子マネーカード８７内で、プリペイド価値の残高を電子マネー価値に精算する場合の処理動作について図２４を参照して説明する。
【０２０２】
本システムでは、遊技が終了し、例えば、図２３で説明した台間カード処理機１２Ａでの精算処理（ステップＳ２３１〜Ｓ２３３）を行わないまま一体型電子マネーカード８７を台間カード処理機１２Ａから取り出した後、カード精算機４０Ａにおいて、当該一体型電子マネーカード８７のプリペイド価値の残高を電子マネー価値に精算することができる。
【０２０３】
この場合、遊技者は、まず、図２４に示すように、プリペイド価値の残高の残っている一体型電子マネーカード８７をカード精算機４０Ａのカード挿入口４０４Ａに挿入する（ステップＳ２４１）。
【０２０４】
挿入された一体型電子マネーカード８７は、カード精算機４０Ａ内において、ＩＣカード挿入／排出部４１５（図１８参照）に保持される。
【０２０５】
上述の如く、一体型電子マネーカード８７を挿入後、遊技者は、プリペイド価値の残高から電子マネー価値への精算を行なうべく電子マネー精算ボタン４０２を押下する（ステップＳ２４２）。
【０２０６】
これにより、カード精算機４０Ａでは、制御部４１９Ａ内の価値変換部４２４において、電子マネー精算ボタン４０２が押下されたことが認識される。
【０２０７】
価値変換部４２４では、上記電子マネー精算ボタン４０２が押下されたことを認識すると、ＩＣカードリード／ライト部４１６Ａによりプリペイド残高領域Ｍ３４から読み出されたプリペイド価値の残高から全残高を減算する（ステップＳ２４３）と共に、ＩＣカードリード／ライト部４１６Ａに指示して当該減算結果に相当する金額（０円）をプリペイド残高領域Ｍ３４に書き込むように制御する。
【０２０８】
また、価値変換部４２４は、上記プリペイド残高から減算した価値（プリペイドの全残高）分の金額を電子マネー価値の残高に加算する（ステップＳ２４４）と共に、ＩＣカードリード／ライト部４１６Ａに指示して当該加算結果に相当する金額を一体型電子マネーカード８７の電子マネー残高領域Ｍ３２に書き込むように制御する。
【０２０９】
これにより、カード精算機４０Ａにおいて、プリペイドの全残高を減算し（ステップＳ２４３）、この減算した価値分の金額を電子マネー残高へ追加入金（ステップＳ２４４）する精算処理（プリペイド価値を電子マネー価値に変換する処理）が行なわれる。
【０２１０】
上記精算処理終了後、遊技客は、一体型電子マネーカード８７をカード精算機４０Ａから取り出して所持する。
【０２１１】
なお、カード精算機４０Ａでは、一体型電子マネーカード８７をカード挿入口４０４Ａに挿入し、現金精算ボタン４０３を押下することで、プリペイド価値の残高を現金で精算することもできる。この場合、精算額に相当する現金は、現金挿入／排出部４０６から払出される。
【０２１２】
また、第２の実施例に係わるシステムにも管理コンピュータ５０が備わり、該管理コンピュータ５０は、島３０の単位毎に複数の台間カード処理機１２Ａを制御する島コントローラ２０、並びにカード精算機４０ＡとＬＡＮ６０を介して接続される。
【０２１３】
この管理コンピュータ５０では、図１９〜図２３で説明した処理動作中に台間カード処理機１２Ａの処理結果通知部１４０から通知される処理結果（遊技台１１の玉貸し状況等も含む）、及び図２４で説明した処理動作中にカード精算機４０Ａの処理結果通知部４２１から通知される処理結果をＬＡＮ６０を介して収集し、電子マネー管理、プリペイドカード発行管理、売上管理等の種々の管理並びに制御を行なうことができる。
【０２１４】
この管理コンピュータ５０における電子マネー管理、プリペイドカード発行管理、売上管理等の種々の管理並びに制御動作は第１の実施例に係わるシステムと同様に行なえるものであり、ここでの詳しい説明は割愛する。
【０２１５】
なお、第２の実施例においても、一体型電子マネーカード８７として接触型の記憶媒体（ＩＣカード）を用いる例を挙げたが、これに限らず、非接触型の記憶媒体を用い、台間カード処理機１２Ａにデータ送受信用のアンテナ部を設けた構成としても良い。
【０２１６】
このように、本発明に係わる遊技媒体貸出システムにおいて、台間カード処理機１２（または、１２Ａ）は、電子マネー価値の少なくとも一部をプリペイド価値に変換する第１の価値変換手段、プリペイド価値の少なくとも一部を遊技媒体の価値に変換する第２の価値変換手段、プリペイド価値の少なくとも一部を電子マネー価値に変換する第３の価値変換手段を有する価値変換部を備えると共に、カード精算機４０（または、４０Ａ）は、プリペイド価値の少なくとも一部を電子マネー価値に変換する価値変換手段を有する価値変換部を備え、電子マネー価値から変換されたプリペイド価値に基づいて遊技媒体の貸し出しを行なうようにしたものである。
【０２１７】
かかる構成によれば、例えば、第１の実施例のように、プリペイド価値を特定可能な情報を記憶する記憶手段（プリペイドカード８５）を台間カード処理機１２側に保持しておくことで、遊技客は、電子マネー価値を特定可能な情報を記憶する記憶手段であるＩＣカード（電子マネーカード８０）さえ所持していれば、遊技したい台を見つけた時に、プリペイドカードを購入することなく、直ぐにその遊技台でＩＣカードを用いて遊技媒体の貸し出しを受けて遊技を開始することができ、サービスの向上並びに稼動率（売上）向上が見込める。
【０２１８】
また、第２の実施例のように、電子マネー価値を特定可能な情報が記憶される記憶手段と、プリペイド価値を特定可能な情報が記憶される記憶手段とを単一の記憶媒体（一体型電子マネーカード８７）上に形成することもでき、この場合にも、遊技客は、当該一体型電子マネーカード８７さえ所持していれば、遊技したい台を見つけた時に、プリペイドカードを購入することなく、直ぐにその遊技台で当該一体型電子マネーカード８７を用いて遊技媒体の貸し出しを受けて遊技を開始することができる。
【０２１９】
特に、この一体型電子マネーカード８７を用いる第２の実施例の場合には、別媒体を用いる第１の実施例に比べてカードの挿入あるいは排出に係わる操作が簡単で済むと共に、カード挿入／排出機構、カード読み出し／書き込み機構やこれら機構を制御する処理動作の簡略化も図れるという作用効果も期待できる。
【０２２０】
また、本発明のシステムでは、台間カード処理機１２（または、１２Ａ）が、電子マネー価値の少なくとも一部をプリペイド価値に変換する第１の価値変換手段を有するため、電子マネーの残高さえあれば、該残高からプリペイド価値に対して何回も追加入金でき、追加入金のために毎回財布から現金を取り出して現金挿入口に挿入する煩わしさを無くすことができる。
【０２２１】
また、電子マネー価値からプリペイド価値への追加入金に際しては金額を指定して追加入金を行なうことができる。現金の場合には、最大一万までしか追加入金できないという制約があったが、電子マネー価値からプリペイド価値への指定金額分の追加入金を可能にすることにより、１万円以上使用して遊技する場合もその金額を指定しさえすれば１回で追加入金でき、１万円毎に１回追加入金操作を行なう必要のある現金入金に比べて入金操作の煩わしさがなくなる。
【０２２２】
また、本発明のシステムでは、台間カード処理機１２（または。１２Ａ）が、プリペイド価値の少なくとも一部を電子マネー価値に変換する第３の価値変換手段を備えるため、遊技終了時点でプリペイド価値が残っている場合にはこれを電子マネー価値に変換して保持することができる。このプリペイド価値を変換して得られた電子マネー価値は現金化できないまでもいろいろなものの購入に利用することができ、プリペイドカードに残高が余った場合には当日に精算しないとパチンコ用としてしか利用できなくなるといった不都合を解消できる。
【０２２３】
また、本発明のシステムでは、台間カード処理機１２（または、１２Ａ）の他、カード精算機４０（または、４０Ａ）も上記第３の価値変換手段に相当する価値変変換手段を有するため、台間カード処理機１２（１２Ａ）またはカード精算機４０（４０Ａ）において、遊技終了時点で残ったプリペイド価値を電子マネー価値に変換でき、プリペイドカード専用の精算機をホール側に設置せずに済むようになる。
【０２２４】
更に、本発明のシステムでは、遊技機１１、台間カード処理機１２（１２Ａ）、カード精算機４０（４０Ａ）等の処理結果を通信手段を介して収集可能な管理コンピュータ５０を設けたため、該管理コンピュータ５０において上記収集した処理結果に基づき電子マネー管理、プリペイド管理並びに売上管理を行なうことができる。
【０２２５】
この他、本発明は、上記し、且つ図面に示す実施例に限定することなく、その要旨を変更しない範囲内で適宜変形して実施できるものである。
【０２２６】
例えば、上記各実施例では、パチンコ店に設置され、遊技媒体としてパチンコ玉を貸し出すシステムを例に挙げているが、本発明は、パチンコ店に限らず、種々の遊技場の種々の遊技媒体の貸し出しに適用できるものである。
【０２２７】
【発明の効果】
以上説明したように、本発明によれば、電子マネー価値情報記憶手段に記憶される情報によって特定される電子マネー価値の少なくとも一部を、プリペイド価値情報記憶手段に記憶される情報によって特定されるプリペイド価値に変換する第１の価値変換手段と、プリペイド価値情報記憶手段に記憶される情報によって特定されるプリペイド価値の少なくとも一部を、遊技媒体の価値に変換する第２の価値変換手段とを備え、電子マネー価値から変換されたプリペイド価値を用いて遊技媒体の貸し出しを行なうようにしたため、電子マネー価値情報記憶手段たる遊技用記憶媒体さえ所持していれば、遊技したい台を見つけた時に、プリペイドカードを購入することなく、直ぐにその遊技台で遊技媒体の貸し出しを受けて遊技を開始することができ、遊技客に対するサービスの向上、並びにホール側における遊技台の稼動率向上を図ることができる。
【０２２８】
また、本発明では、プリペイド価値に変換する電子マネー価値に相当する金額を指定する指定手段を具備し、上記第２の価値変換手段は、上記指定手段により指定された金額分の価値を電子マネー価値から引き出してプリペイド価値に加算する処理（追加入金処理）を行なうため、追加入金のために毎回財布から現金を取り出して現金挿入口に挿入する必要がなくなり、入金操作が大幅に簡略化できる。
【０２２９】
また、現金の場合には、最大一万までしか追加入金できないという制約があったが、電子マネー価値からの追加入金を可能にすることにより、１万円以上使用して遊技する場合も１回の入金操作で済み、１万円毎に１回追加入金操作を行なう必要のある現金入金に比べて入金操作の煩わしさを解消できる。
【０２３０】
また、本発明では、プリペイド価値情報記憶手段に記憶される情報によって特定されるプリペイド価値の少なくとも一部を、電子マネー価値情報記憶手段に記憶される情報によって特定される電子マネー価値に変換する第３の価値変換手段を備えるため、遊技終了時点でプリペイド価値が残っている場合はこれを電子マネー価値に変換して電子マネー価値情報記憶手段たる遊技用記憶媒体に保持することができ、プリペイドカード専用の精算機を用いることなく、簡単にプリペイド価値の精算が行なえる。これにより、プリペイドカード専用の精算機をホール内に必ずしも設置する必要がなくなり、システムコストの削減が図れる。
【図面の簡単な説明】
【図１】本発明に係わる遊技媒体貸出システムの全体構成を示すブロック図。
【図２】第１の実施例で用いる記憶媒体の構成を示す概念図。
【図３】第１の実施例に係わる台間カード処理機の外観構造を示す図。
【図４】図３における台間カード処理機の機能構成を示すブロック図。
【図５】第１の実施例に係わるカード精算機の外観構造を示す図。
【図６】図５におけるカード精算機の機能構成を示すブロック図。
【図７】第１の実施例の台間カード処理機での玉貸し処理動作を示す図。
【図８】第１の実施例の台間カード処理機で指定金額分の電子マネー価値をプリペイド価値へ移動する処理動作を示す図。
【図９】第１の実施例の台間カード処理機での電子マネーチャージ処理動作を示す図。
【図１０】第１の実施例の台間カード処理機での電子マネーまたはプリペイドカードへの選択的チャージ処理動作を示す図。
【図１１】第１の実施例の台間カード処理機でのプリペイド残高精算処理動作を示す図。
【図１２】第１の実施例のカード精算機でのプリペイド残高精算処理動作を示す図。
【図１３】管理コンピュータにおける管理処理動作を示す図。
【図１４】第２の実施例で用いる記憶媒体の構成を示す概念図。
【図１５】第２の実施例に係わる台間カード処理機の外観構造を示す図。
【図１６】図１５における台間カード処理機の機能構成を示すブロック図。
【図１７】第２の実施例に係わるカード精算機の外観構造を示す図。
【図１８】図１７におけるカード精算機の機能構成を示すブロック図。
【図１９】第２の実施例の台間カード処理機での玉貸し処理動作を示す図。
【図２０】第２の実施例の台間カード処理機で指定金額分の電子マネー価値をプリペイド価値へ移動する処理動作を示す図。
【図２１】第２の実施例の台間カード処理機での電子マネーチャージ処理動作を示す図。
【図２２】第２の実施例の台間カード処理機での電子マネーまたはプリペイドカードへの選択的チャージ処理動作を示す図。
【図２３】第２の実施例の台間カード処理機でのプリペイド残高精算処理動作を示す図。
【図２４】第２の実施例のカード精算機でのプリペイド残高精算処理動作を示す図。
【符号の説明】
１０  遊技ユニット
１１  遊技台
１２，１２Ａ  台間カード処理機
１３０  通信制御部
１３１  現金処理部
１３２  表示部
１３３  メモリ部
１３４  キー操作部
１３５，１３５Ａ  ＩＣカード挿入／排出部
１３６，１３６Ａ  ＩＣカードリード／ライト部
１３７  プリペイドカード挿入／排出部
１３８  プリペイドカードリード／ライト部
１３９，１３９Ａ  制御部
１４０  処理結果通知部
１４１  玉貸制御部
１４２  プリペイドカード制御部
１４２Ａ  カード制御部
１４３  ＩＣカード制御部
１４４  価値変換部
２０  島コントローラ
３０  島
４０，４０Ａ  カード精算機
４１０  通信制御部
４１１  現金処理部
４１２  表示部
４１３  メモリ部
４１４  キー操作部
４１５，４１５Ａ  ＩＣカード挿入／排出部
４１６，４１６Ａ  ＩＣカードリード／ライト部
４１７  プリペイドカード挿入／排出部
４１８  プリペイドカードリード／ライト部
４１９，４１９Ａ  制御部
４２１  処理結果通知部
４２２  プリペイドカード制御部
４２２Ａ  カード制御部
４２３  ＩＣカード制御部
４２４  価値変換部
５０  管理コンピュータ
５１ａ  メインコンピュータ
５１ｂ  電子マネー管理用コンピュータ
５１ｃ  プリペイド管理用コンピュータ
５１ｄ  売上管理用コンピュータ
５５  プリンタ
６０  ローカルエリアネットワーク（ＬＡＮ）
８０  ＩＣカード（電子マネーカード）
８５  プリペイドカード
８７  一体型ＩＣカード（一体型電子マネーカード）
【図１】
2004243011.tif 000003
【図２】
2004243011.tif 000004
【図３】
2004243011.tif 000005
【図４】
2004243011.tif 000006
【図５】
2004243011.tif 000007
【図６】
2004243011.tif 000008
【図７】
2004243011.tif 000009
【図８】
2004243011.tif 000010
【図９】
2004243011.tif 000011
【図１０】
2004243011.tif 000012
【図１１】
2004243011.tif 000013
【図１２】
2004243011.tif 000014
【図１３】
2004243011.tif 000015
【図１４】
2004243011.tif 000016
【図１５】
2004243011.tif 000017
【図１６】
2004243011.tif 000018
【図１７】
2004243011.tif 000019
【図１８】
2004243011.tif 000020
【図１９】
2004243011.tif 000021
【図２０】
2004243011.tif 000022
【図２１】
2004243011.tif 000023
【図２２】
2004243011.tif 000024
【図２３】
2004243011.tif 000025
【図２４】
2004243011.tif 000026